(57)【要約】【課題】排気ガスによる溶接部位の変質を最少化して排気ガスが漏れるのを防止し、耐久性を向上させて、連結パイプの重量が軽減された排気ガス排気システムを提供する。【解決手段】本発明の排気ガス排気システムは、排気ガスによって作動するターボチャージャーと、ターボチャージャーの下流側に配置された触媒コンバータと、両端部に入口部及び出口部それぞれが形成され、ターボチャージャーから排出される排気ガスを前記触媒コンバータに移送する連結パイプと、を含み、連結パイプは、一端に入口部が形成され、他端に出口部の一部を形成する第１出口部が形成された第１部材と、記第１部材に接合されて第１出口部と一緒になって前記出口部を形成する第２出口部が形成された第２部材と、を含むことを特徴とする。【選択図】図１
2014043853.tif 000002
【特許請求の範囲】
【請求項１】
排気ガスによって作動するターボチャージャーと、
前記ターボチャージャーの下流側に配置された触媒コンバータと、
両端部に入口部及び出口部それぞれが形成され、前記ターボチャージャーから排出される排気ガスを前記触媒コンバータに移送する連結パイプと、
を含み、
前記連結パイプは、
一端に前記入口部が形成され、他端に前記出口部の一部を形成する第１出口部が形成された第１部材と、
前記第１部材に接合されて前記第１出口部と一緒になって前記出口部を形成する第２出口部が形成された第２部材と、
を含むことを特徴とする排気ガス排気システム。
【請求項２】
前記第１部材の前記第１出口部と、前記第２部材の前記第２出口部と、は相互に接合されて一つの閉曲線形状の前記出口部を形成することを特徴とする請求項１に記載の排気ガス排気システム。
【請求項３】
前記第１部材の前記入口部は円形であり、
前記第１部材の第１出口部と、前記第２部材の第２出口部と、は相互に対応する半円形を有し、相互に接合されて円形の前記出口部を形成することを特徴とする請求項２に記載の排気ガス排気システム。
【請求項４】
前記第２部材は、前記連結パイプの内部から外部に通じるセンサーホールが少なくとも一つ形成されたことを特徴とする請求項１に記載の排気ガス排気システム。
【請求項５】
前記第１部材は、前記入口部に接合され、前記ターボチャージャーの出口部と締結されるフランジを更に含み、
前記第１部材が、外側周りに沿って前記フランジと溶接されて溶接部を形成することを特徴とする請求項１に記載の排気ガス排気システム。
【請求項６】
前記フランジは、前記ターボチャージャーの出口部と同一の材質であるステンレス鋼の鋳造で作られることを特徴とする請求項５に記載の排気ガス排気システム。
【請求項７】
前記第１部材及び前記第２部材はステンレス鋼をプレス成型することによって形成され、これを接合することによって前記連結パイプが製造されることを特徴とする請求項５に記載の排気ガス排気システム。
【請求項８】
排気ガスによって作動するターボチャージャーと、
前記ターボチャージャーの下流側に配置された触媒コンバータと、
両端部に入口部及び出口部それぞれが形成され、前記ターボチャージャーから排出される排気ガスを前記触媒コンバータに移送する連結パイプと、
を含み、
前記連結パイプの前記入口部が、前記ターボチャージャーから排気ガスの供給を受ける閉曲線形状に形成され、
前記連結パイプの前記出口部が、前記第１出口部から前記入口部に近接した部位まで切開部が形成された第１部材に形成された第１出口部と、前記第１部材の前記切開部と対応する対応切開部が形成された第２部材に形成され、前記第１部材の前記第１出口部と一緒になって前記出口部を形成する第２出口部と、が前記切開部と前記対応切開部が互いに接合されることによって閉曲線形状に形成されたことを特徴とする排気ガス排気システム。
【請求項９】
前記切開部は、前記第１出口部と前記第２出口部が接合される地点から、前記入口部に近接した部位まで形成されることを特徴とする請求項８に記載の排気ガス排気システム。  
【発明の詳細な説明】
【技術分野】
【０００１】
本発明は排気ガス排気システムに係り、より詳しくは、エンジンから排出される排気ガスを外部に排出する排気ラインに設けられるターボチャージャーとウォームアップ触媒コンバータとを連結するコーン型の連結パイプを備えた排気ガス排気システムに関する。
【背景技術】
【０００２】
一般に、ターボチャージャーとウォームアップ触媒コンバータの間には、フランジとコーン型の連結パイプが配置される。また、フランジと連結パイプを溶接することにより、排気ラインの内部に溶接部位が多くなる。
また、コーン型の連結パイプが鋳物によって形成され、全体的な重量が増加する。
【０００３】
更に、溶接部位が高温の排気ガスによって材質が変化し、排気ガスが漏れたり耐久性が減少したりすることがある。
特に、ターボチャージャーを備えたエンジンの場合は、一般的なマルチポイントインジェクション（Ｍｕｌｔｉ  Ｐｏｉｎｔ  Ｉｎｊｅｃｔｉｏｎ：ＭＰＩ）又はガソリン直噴射（Ｇａｓｏｌｉｎｅ  Ｄｉｒｅｃｔ  Ｉｎｊｅｃｔｉｏｎ：ＧＤＩ）エンジンに比較して、振動と温度変化が大きいため、ターボチャージャーとウォームアップ触媒コンバータを連結するコーン型の連結パイプの構造改善が必要である。
【先行技術文献】
【特許文献】
【０００４】
【特許文献１】特開２００９−４７０７８号公報
【特許文献２】特開２００４−１６２６９９号公報
【発明の概要】
【発明が解決しようとする課題】
【０００５】
かかる課題を解決するための本発明の目的は、排気ガスによる溶接部位の材質の特性の変化を最少化して排気ガスが漏れるのを防止し、耐久性を向上させ、連結パイプの重量を軽減した排気ガス排気システムを提供することにある。
【課題を解決するための手段】
【０００６】
本発明の実施形態による排気ガス排気システムは、排気ガスによって作動するターボチャージャーと、ターボチャージャーの下流側に配置された触媒コンバータと、両端部に入口部及び出口部それぞれが形成され、ターボチャージャーから排出される排気ガスを触媒コンバータに移送する連結パイプと、を含み、
連結パイプが、一端に入口部が形成され、他端に出口部の一部を形成する第１出口部が形成された第１部材と、第１部材に接合されて第１出口部と一緒になって出口部を形成する第２出口部が形成された第２部材と、を含むことを特徴とする。
【０００７】
また、第１部材の第１出口部と第２部材の第２出口部とは相互に接合され、一つの閉曲線形状の出口部を形成することができる。
また、第１部材の入口部は円形であり、第１部材の第１出口部と、第２部材の第２出口部と、は相互に対応する半円形を有し、相互に接合されて円形の出口部を形成することができる。
【０００８】
また、第２部材は、連結パイプの内部から外部に通じるセンサーホールを少なくとも一つ形成することができる。
また、第１部材は、入口部に接合されターボチャージャーの出口部と締結されるフランジを更に含み、第１部材が、外側周りに沿ってフランジと溶接されて溶接部を形成することができる。
【０００９】
また、フランジは、ターボチャージャーの出口部と同一の材質であるステンレス鋼の鋳造で作ることができる。
また、第１部材及び第２部材はステンレス鋼をプレス成型することによって形成され、これらを接合することによって連結パイプを製造することができる。
【００１０】
更に、本発明の実施形態による排気ガス排気システムは、排気ガスによって作動するターボチャージャーと、ターボチャージャーの下流側に配置された触媒コンバータと、両端部に入口部及び出口部それぞれが形成され、ターボチャージャーから排出される排気ガスを触媒コンバータに移送する連結パイプと、を含み、
連結パイプの入口部は、ターボチャージャーから排気ガスの供給を受ける閉曲線形状に形成され、連結パイプの出口部は、その内部から外部に通じるように第１出口部から入口部に近接した部位まで切開部が形成された第１部材に形成された第１出口部と、第１部材の切開部と対応する対応切開部が形成された第２部材に形成され、第１部材の第１出口部と一緒になって出口部を形成する第２出口部と、が切開部と対応切開部が互いに接合されることによって閉曲線形状に形成されたことを特徴とする。
【００１１】
また、切開部は、第１出口部と第２出口部が接合される地点から、入口部に近接した部位まで形成できる。
【発明の効果】
【００１２】
前述のように、本発明の実施形態による排気ガス排気システムは、ターボチャージャーとウォームアップ触媒コンバータとを連結する連結パイプを鋳物材質で作る場合に比較し、ステンレス鋼をプレス成型することによって、重量を減少させ、かつ原価を節減することができる。
【００１３】
また、ターボチャージャーの出口部の材質と同一のステンレス鋼の鋳造フランジを使用することによって、全体的な熱変形が減少し、排気ガスが漏れるのを防止することができる。
また、連結パイプの入口部を一体に形成し、これを溶接を通じてフランジに接合させることによって隙間がなくなり、また排気流路上に溶接部が無くなることによって排気ガスが漏れることを防止し、耐久性を向上させることができる。
【図面の簡単な説明】
【００１４】
【図１】本発明の実施形態による排気ガス排気システムの全体的な斜視図である。
【図２】本発明の実施形態による排気ガス排気システムに適用される連結パイプの斜視図である。
【図３】本発明の実施形態による排気ガス排気システムに適用される連結パイプの側面図である。
【図４】本発明の実施形態による排気ガス排気システムに適用される連結パイプの分解側面図である。
【図５】本発明の実施形態による排気ガス排気システムに適用される連結パイプの入口部と出口部の形状を概略的に示す図である。
【発明を実施するための形態】
【００１５】
以下に、本発明の好ましい実施形態を、添付図面を参照しながら詳細に説明する。
図１は本発明の実施形態による排気ガス排気システムの全体的な斜視図である。
図１に示すように、排気ガス排気システムは、エンジン１１０、ターボチャージャー１００、フランジ１４２、連結パイプ１４０、ウォームアップ触媒コンバータ１３０、及びマフラー１２０を含む。
【００１６】
エンジン１１０から排出された排気ガスは、排気マニホールドを通じてターボチャージャー１００に流入され、ターボチャージャー１００の出口から排出された排気ガスは、連結パイプ１４０を通じてウォームアップ触媒コンバータ１３０に移送される。
【００１７】
ウォームアップ触媒コンバータ１３０から排出された排気ガスは、マフラー１２０を通じて外部に排出される。ウォームアップ触媒コンバータ１３０の機能は、公知技術であるので、詳細な説明は省略する。
ターボチャージャー１００と連結パイプ１４０とは、フランジ１４２を通じて連結される。ここで、フランジ１４２は、連結パイプ１４０の外側に沿って溶接される。従って、フランジ１４２は、排気流路の熱変形を防止し、リークを減少させ、耐久性を向上させる。
【００１８】
フランジ１４２はステンレス鋼の鋳造であり、ターボチャージャー１００の出口部と同一の材質を使用することによって全体的な熱変形が均一になり排気ガスのリークを減らすことができる。
連結パイプ１４０は、ステンレス鋼をプレス成型した第１部材２００及び第２部材２１０（図２参照）を互いに接合させることによって、全体的な部品の重量を節減させることができる。
【００１９】
以下に、図２〜４を参照して、連結パイプ１４０についてより詳しく説明する。
図２は、本発明の実施形態による排気ガス排気システムに適用される連結パイプの斜視図であり、図３は、本発明の実施形態による排気ガス排気システムに適用される連結パイプの側面図であり、図４は本発明の実施形態による排気ガス排気システムに適用される連結パイプの分解側面図である。
【００２０】
図２及び図３に示すように、連結パイプ１４０は第１部材２００及び第２部材２１０を含み、第１部材２００と第２部材２１０が互いに接合されてパイプ型の連結パイプ１４０を形成する。
【００２１】
連結パイプ１４０は、ターボチャージャー１００と連結される入口部４００の内径が小さく、ウォームアップ触媒コンバータ１３０に連結される出口部４４０の内径が大きいコーン形状である。
第２部材２１０は、二つのセンサーホール２２０が形成され、センサーホール２２０を通じて排気ガスの特性を検知するセンサー（図示せず）が挿入されて装着される。なお、センサーホールの個数は任意に変更できる。
【００２２】
更に、フランジ１４２と連結パイプ１４０の入口部４００とは互いに溶接によって接合され、連結パイプ１４０の外側に沿ってフランジ１４２と接合される溶接部２３０が形成される。
【００２３】
図４に例示するように、連結パイプ１４０の第１部材２００の一側には入口部４００が形成される。入口部４００全体がフランジ１４２と溶接されて、溶接部２３０が形成される。
【００２４】
第１部材２００の一端には入口部４００が形成され、他端には第１出口部４１０が形成される。第１出口部４１０は、ウォームアップ触媒コンバータ１３０の入口の一部と連結される。
【００２５】
第１部材２００には切開部４３０が形成され、切開部４３０は、出口部４４０から入口部４００に近接した部位まで形成される。第２部材２１０には、切開部４３０と対応する形状の対応切開部４３２が形成される。ここで、切開部４３０と対応切開部４３２が接合されて連結パイプ１４０が完成される。
【００２６】
更に、第１出口部４１０と対応して、第２出口部４２０が形成される。第２出口部４２０は、ウォームアップ触媒コンバータ１３０の入口の残りと接合される。つまり、第１出口部４１０と第２出口部４２０が一つの出口部４４０を形成する（図５を参照）。
【００２７】
本発明の実施形態で、連結パイプ１４０は、全体として設定された角度で折れた構造を有し、入口部４００と出口部４４０とが互いに垂直に配置される。
前記切開部４３０は、前記折れた構造の内部から外部に通じるように形成される。
【００２８】
図５は、本発明の実施形態による排気ガス排気システムに適用される連結パイプの入口部と出口部との形状を概略的に示す図である。図５に示すように、第１部材２００の入口部４００は、円形の閉曲線に沿って形成される。本発明の実施形態は、入口部４００が円形でない他の多様な閉曲線に沿って形成することができる。フランジ１４２の中心部には、入口部４００と対応する排気ガス通路が形成される。
【００２９】
また、第１部材２００の第１出口部４１０は、半円形の曲線に沿って形成され、第２部材２１０の第２出口部４２０は、第１出口部４１０と対称の半円形の曲線に沿って形成される。
【００３０】
本発明の実施形態で、第１出口部４１０と第２出口部４２０とが全て互いに対称的な半円形の曲線を成すように形成される例を説明したが、これは例示に過ぎず、第１、２出口部４４０は、一つの閉曲線を形成するいずれの形状にも変形して実施することができる。
【００３１】
以上、本発明に関する好ましい実施形態を説明したが、本発明は前記実施形態に限定されず、本発明の属する技術範囲を逸脱しない範囲での全ての変更が含まれる。
【符号の説明】
【００３２】
１００      ターボチャージャー
１１０      エンジン
１２０      マフラー
１３０      ウォームアップ触媒コンバータ
１４０      連結パイプ
１４２      フランジ
２００      第１部材
２１０      第２部材
２２０      センサーホール
２３０      溶接部
４００      入口部
４１０      第１出口部
４２０      第２出口部
４３０      切開部
４３２      対応切開部
４４０      出口部
【図１】
2014043853.tif 000003
【図２】
2014043853.tif 000004
【図３】
2014043853.tif 000005
【図４】
2014043853.tif 000006
【図５】
2014043853.tif 000007